(57)【要約】【課題】ターンテーブル高さのばらつき、ピックアップ感度のばらつきがあっても正確に判別することができず、またディスクの表面反射でのＳ字の影響を排除して正しい記録面位置を測定することができなかった。【解決手段】メカニズム精度とピックアップ感度のばらつきを許容しつつ正確にディスク種別を判別できるように、一度再生したメディアのフォーカス駆動値をメディア毎に不揮発性メモリに記録することにより、ターンテーブル高さのばらつき、ピックアップ感度のばらつきがあっても正確に判別できるようにしたことを主な特徴とする。【選択図】図３
2005071431.tif 000002
【特許請求の範囲】
【請求項１】
種類が異なる記録媒体を再生可能な光ディスク再生装置であって、前記記録媒体に記録された信号を再生可能な再生手段と、前記再生手段の動作を制御するサーボ手段と、前記記録媒体を再生した時の前記サーボ手段のフォーカス駆動値を保存する記憶手段と、前記記憶手段に記憶されたフォーカス駆動値を読み出し前記サーボ手段を制御する制御手段とを備え、前記記録媒体を再生した時の前記サーボ手段のフォーカス駆動値を記録媒体毎に前記記憶手段に記憶し、前記記録媒体を再生した時に前記記憶手段に記憶されたフォーカス駆動値に基づき記録媒体の種類判別を行うことを特徴とする光ディスク再生装置。
【請求項２】
一度再生したメディアのフォーカス駆動値（記録面合焦位置のフォーカス駆動値）をメディア毎に不揮発性メモリに記録し、次回のディスクメディア判別に該記録していたメディア毎のフォーカス駆動値を利用してメディア判別を行うことを特徴とするディスク再生装置。
【請求項３】
上記フォーカス駆動値がメディア毎に不揮発性メモリに記録してあることを利用し、メディア毎の該フォーカス駆動値が異なることを利用して不揮発性メモリ内のフォーカス駆動値が正しいか否かを判別し、正しく無いときは予め設定しておいた値を正しいフォーカス駆動値として書き直すことを特徴とする請求項２記載のディスク再生装置。
【請求項４】
上記フォーカス駆動値（記録面合焦位置のフォーカス駆動値）を取得する方法として、レンズを移動させてそのとき出力されるＦＥ信号値が最大となった時のフォーカス駆動値と逆にＦＥ信号値が最小となった時のフォーカス駆動値の中間を、ディスク記録面の合焦位置のフォーカス駆動値として取得することを特徴とする請求項２記載のディスク再生装置。
【請求項５】
上記フォーカス駆動値（記録面合焦位置のフォーカス駆動値）を取得する方法として、レンズを移動させてそのとき出力されるＦＥ信号の振幅差が最大となった時のＦＥ信号最大時のフォーカス駆動値とＦＥ信号最小時のフォーカス駆動値の中間をディスク記録面の合焦位置のフォーカス駆動値として取得することを特徴とする請求項２記載のディスク再生装置。
【発明の詳細な説明】
【技術分野】
【０００１】
本発明は、光ディスク再生装置に関するものである。
【背景技術】
【０００２】
近年のＤＶＤプレーヤでは、ＤＶＤとＣＤの両方が再生できる物が主流を占めている。これらのＤＶＤプレーヤでは、ディスクが挿入された時、ＤＶＤとＣＤのどちらが挿入されたか不明のため、立ち上げに時間がかかり再生開始するまでに時間がかかるものがあった。
【０００３】
この改善策として、ＤＶＤとＣＤの物理特性の違いを利用して判別を行う方法が考案されている。光ディスク表面から情報記録面までの距離の違いを利用してディスクを判別する方法である。
【０００４】
これは、レンズ移動開始をし最初のフォーカスエラー信号を検出した時のフォーカス駆動値と予め設定された基準電圧と比較することで判別を行うという方法である。
【特許文献１】特開平９−３３０５５３号公報
【発明の開示】
【発明が解決しようとする課題】
【０００５】
しかしながら上記従来の構成や特許文献１では、以下のような課題がある。
【０００６】
まず、フォーカス駆動値で判別するためには、精度の高いメカニズムと感度ばらつきの少ないピックアップが必要と言うことが上げられる。これは、ＤＶＤとＣＤで記録面高さの差は、０．６ｍｍしかないため、ターンテーブル高さにばらつきがあると、判別を間違ってしまうおそれがあるという点である。またピックアップの感度にも左右され、感度の低いピックアップでは、感度の高いピックと同じ高さまでレンズを上げるのにより大きな駆動値が必要になる。つまりピックアップに感度ばらつきがあると、フォーカス駆動値はばらついてしまうことになり、予め設定された閾値で判別できないことになる。
【０００７】
次に、反射率の低いＣＤ−ＲＷディスクなどでは、記録面で反射されるＳ字信号のみならず、ディスク表面で反射されるＳ字信号が検出されることがある。この時、レンズ上昇開始から最初のフォーカスエラー信号を検出した時のフォーカス駆動値を検出していた場合は、ディスク表面で反射されるＳ字信号を信号面だと間違え、判別を誤ってしまう可能性がある。
【０００８】
本発明は上記課題を鑑み、ターンテーブル高さのばらつき、ピックアップ感度のばらつきがあっても正確に判別できるようにし、またディスクの表面反射でのＳ字の影響を排除して正しい記録面位置を測定することができる光ディスク再生装置を提供することを目的とする。
【課題を解決するための手段】
【０００９】
上記目的を達成するために本発明の光ディスク再生装置は、メカニズム精度とピックアップ感度のばらつきを許容しつつ正確にディスク種別を判別できるように、一度再生したメディアのフォーカス駆動値をメディア毎に不揮発性メモリに記録することにより、ターンテーブル高さのばらつき、ピックアップ感度のばらつきがあっても正確に判別できるようにしたことを主な特徴とする。
【００１０】
また、記録面位置検出として、レンズ移動開始をして最初のフォーカスエラー信号を検出した時のフォーカス駆動値を採用するのではなく、レンズ移動開始をしてその時得られるＳ字の最大値が現れた時のフォーカス駆動値とＳ字の最小値が現れた時のフォーカス駆動値とをそれぞれ測定することで、表面反射でのＳ字は、記録面のＳ字よりも最大値は小さく、最小値は大きいという特徴を利用することができ、その結果ディスクの表面反射でのＳ字の影響を排除して正しい記録面位置を測定することができるということを主な特徴とする。
【発明の効果】
【００１１】
これにより本発明の光ディスク再生装置は、メディア毎のフォーカス駆動値を不揮発性メモリに記憶し、その値を利用して判別するため、メカニズムばらつき、ピックアップ感度ばらつきがあっても、正確にＤＶＤとＣＤを判定できるという利点がある。
【００１２】
また、フォーカス駆動値の検出に、Ｓ字の最大値、最小値の時の値を利用することで、低反射率のＣＤ−ＲＷなどでも検出を誤らないという利点がある。
【発明を実施するための最良の形態】
【００１３】
記録面高さの異なる２つ以上のメディアを再生する光ディスク再生／記録装置であって、不揮発性メモリを装備し、レンズを上下移動させた時のＦＥ信号が最大の時のフォーカス駆動値、ＦＥ信号が最小の時のフォーカス駆動値をそれぞれ測定し、読み出すことのできる装置を実現した。
【００１４】
（実施の形態１）
図１は、本発明の実施の形態の光ディスク再生装置のブロック図である。図１において、１は光学的に信号が記録された光ディスク、２は光ディスク１を乗せるターンテーブル、３はディスク１にレーザを当てて信号を読みとるためのピックアップ、４はピックアップ３を移動させるためのトラバース、５は光ディスク１を回転させるためのスピンドルモータ、６はピックアップ３及びトラバース４を動作制御するサーボ回路、７はサーボ回路６など再生装置全体を制御するマイコン、８はマイコン７からアクセスでき各種信号を書き込み／読み出しする不揮発性メモリで、この不揮発性メモリ８はＤＶＤプレーヤなどの光ディスク再生装置において、ディスクを再生中に停止させた時のディスクの状態（停止位置など）を記憶しておいたり、ユーザが設定したＴＶのアスペクト情報やメニュー言語設定などが記録出来るように配されたものであり、本実施の形態ではその不揮発性メモリ８の空き領域を利用して、ＣＤ／ＤＶＤのディスク判別に用いる信号を書き込むようにしたものである。なお、不揮発性メモリ８に用いられるメモリの種類としては、フラッシュメモリやＥＥＰＲＯＭなどがある。９はマイコン７からアクセスされマイコン７において各種信号処理を行う際に一時的に情報を書き込み／読み出しされるメモリで、いわゆるマイコン７の作業用に使うメモリであり、本実施の形態では装置の電源をＯＦＦにした時に記憶データが消える揮発性メモリを用いた。
【００１５】
図２は、本実施の形態のピックアップとサーボ回路のブロック図を示す。３１はディスク１の記録面にレーザー光を集光させて照射するレンズ、３７はレーザーダイオード３５からのレーザー光を平行光にしてレンズ１へ導くコリメートレンズ、３２はレンズ３１を半径方向に動かすためのトラッキングコイル、３３はレンズ３１を上下方向に動かすためのフォーカスコイル、３４はディスク１からの反射信号をビームスプリッタ３６を介して受ける受光部、３５はディスク１に対してレーザー光を照射するレーザーダイオードである。５０はトラバース４の動作を制御するトラバース制御手段、５１はフォーカスコイル３３の動作を制御しレンズ３１のフォーカシング制御を行うフォーカスコイル制御手段、５２はトラッキングコイル３２の動作を制御しレンズ３１のトラッキング制御を行うトラッキングコイル制御手段、５３はトラバース制御手段５０とフォーカスコイル制御手段５１とトラッキングコイル制御手段５２とを制御するサーボ制御回路、５５は受光部３４で受光したレーザー光に基づきＦＥ（フォーカスエラー）信号／ＴＥ（トラッキングエラー）信号／ＲＦ信号を生成するＦＥ／ＴＥ／ＲＦ信号生成手段、５４はＦＥ／ＴＥ／ＲＦ信号生成手段５５からのＲＦ信号を映像信号に復調する復調回路である。
【００１６】
図３は本実施の形態において本装置の電源投入から立ち上げ処理（サーボ学習、管理情報読み込み）終了までの流れを示したフローチャート、図４はＣＤ／ＤＶＤのディスク判別時の駆動値及び判別閾値の算出を模式的に示した模式図、図５はＣＤ／ＤＶＤディスク判別時の判別動作を説明するための模式図、図６はレンズの移動を示す模式図である。
【００１７】
図４〜図６において、１０１はディスク１がＣＤである場合の記録面で、ディスク１の下端面から１．２ｍｍの部分に記録されている。１０２はディスク１がＤＶＤである場合の記録面で、ディスク１の下端面から０．６ｍｍの部分に記録されている。３１ａはＤＶＤ記録面に合焦したレンズ３１の第１の位置、３１ｂはＣＤ記録面に合焦したレンズ３１の第２の位置、３１ｃはレンズ３１の駆動開始位置である第３の位置、３１ｄは図６におけるレンズ３１の駆動開始位置である第４の位置、３１ｅは図６におけるレンズ３１の第４の位置３１ｄから下降した第５の位置、４０１，５０１，５０２，６０１はＦＥ信号の波形である。
【００１８】
以上のように構成された本実施の形態の光ディスク再生装置において、以下その動作について、図３のフローチャートとともに説明する。
【００１９】
電源投入後、まずマイコン７は不揮発性メモリ８からＤＶＤのフォーカス駆動値ＦＯＤ＿ＤＶＤと、ＣＤのフォーカス駆動値ＦＯＤ＿ＣＤを、メモリ９へ読み出す（ステップＳ１）。
【００２０】
ＦＯＤ＿ＤＶＤとＦＯＤ＿ＣＤが同じ値、もしくはＦＯＤ＿ＤＶＤ＞ＦＯＤ＿ＣＤの場合は、ＤＶＤのフォーカス駆動値とＣＤのフォーカス駆動値が同じ、もしくは逆転していると言う訳であるが、実際は取りうる値ではない。よってこの書き込まれていた値は正しくないと判断して（ステップＳ２，Ｓ３）、予め決めておいた値を代入しておく（ステップＳ４）。
【００２１】
次に、判別閾値（ＦＯＤ＿ＬＶＬ）として、ＤＶＤの駆動値（ＦＯＤ＿ＤＶＤ）とＣＤの駆動値（ＦＯＤ＿ＣＤ）の中点を、下記数式１に基づき設定する。
【００２２】
ＦＯＤ＿ＬＶＬ＝（ＦＯＤ＿ＤＶＤ＋ＦＯＤ＿ＣＤ）／２・・・（数式１）
これは図４に示すようにＤＶＤの記録面１０２とＣＤの記録面１０１では記録面高さに０．６ｍｍの規格上の差があり、この記録面の差で切り分ければＤＶＤとＣＤが判別できるからである。
【００２３】
なお、この閾値ＦＯＤ＿ＬＶＬは必ずしも中点である必要はなく、他の情報（例えば、ＦＥ振幅、ＴＥ振幅の差など）によってＤＶＤとＣＤの判別精度が高くなるように重み付けを変化させても良い（ステップＳ５）。例えば、他の情報が「ＤＶＤ」と判断している場合は、下記数式２、
ＦＯＤ＿ＬＶＬ＝（ＦＯＤ＿ＤＶＤ×２＋ＦＯＤ＿ＣＤ）／３・・・（数式２）
に基づき、判別閾値（ＦＯＤ＿ＬＶＬ）をＤＶＤ側に有利に設定する。
【００２４】
他の情報が「ＣＤ」と判断している場合は、下記数式３に基づき、判別閾値（ＦＯＤ＿ＬＶＬ）をＣＤ側に有利に設定する。
【００２５】
ＦＯＤ＿ＬＶＬ＝（ＦＯＤ＿ＤＶＤ＋ＦＯＤ＿ＣＤ×２）／３・・・（数式３）
このように上記数式１〜３のいずれかを用いて、判別閾値（ＦＯＤ＿ＬＶＬ）を算出する。算出した判別閾値はメモリ９に保持しておく。
【００２６】
次に、ディスク１をターンテーブル２に乗せてローディング（ステップＳ６）し、サーボ回路６がトラバース４を動作制御し、図６に示すようにレンズ３１を第４の位置３１ｄから矢印Ｃ方向へ下げて第５の位置３１ｅに移動し、そこから矢印Ｄ方向へ上昇させる。これは記録面１０２がレンズの初期合焦位置よりも下だった場合を考慮して、必ず記録面１０１及び１０２を通過させるために行う。記録面１０１及び１０２が必ずレンズ３１の初期位置より高い位置であると保証される場合は、一旦レンズ３１を下げる必要はない。また逆にレンズ３１を最上段にしておき下げておく方法でもかまわない（ステップＳ７）。
【００２７】
次に、レンズ３１を上昇させていく過程で、記録面１０２を通過する時に、反射光として検出されるＦＥ信号５０１及び５０２が最大値になった時のフォーカス駆動値を、ＦＯＤ＿ｍａｘとしてメモリ９に保存する（ステップＳ８）。同様に、レンズ３１を上昇させていく過程で出力されるＦＥ信号が最小値になった時のフォーカス駆動値を、ＦＯＤ＿ｍｉｎとしてメモリ９に保存する（ステップＳ９）。この記録面を境に検出されるＦＥ信号のことを以降「Ｓ字」と呼ぶ。
【００２８】
例えば、図５に示すようにＣＤを本装置に装填した時、レンズ３１はまず第３の位置３１ｃの位置で、ＣＤのディスク表面の反射光によりＳ字５０１ａが出力される。この時のＳ字５０１ａの最大値と最小値をそれぞれメモリ９に保存する。次にレンズ３１を矢印Ｂ方向へ上昇させていき、記録面１０１に達すると、振幅の大きなＦＥ信号５０１ｂが出力される。この時のＳ字５０１ｂの最大値と最小値と、メモリ９に記憶してあるＳ字５０１ａの最大値及び最小値とを、マイコン７でそれぞれ大小比較する。その比較の結果、値が大きな方（つまり、Ｐ−Ｐの値が大きな方）のＳ字が記録面によるＳ字であると判断する。図５の例であれば、比較の結果、Ｓ字５０１ｂが記録面でのＳ字であると判断することができる。
【００２９】
この様に処理することで、ディスク表面で反射したＳ字信号５０１ａを無視し、記録面とディスク表面とを正確に判別することができる。また、ＦＥ信号値が上昇を開始した後下降をした場合は、それを１つのＳ字と見なすことができ、その場合はＦＥ信号の絶対値の大きい方のＳ字を採用することで表面反射のＳ字を取り除き、記録面とディスク表面とを正確に判別することもできる。
【００３０】
次に、挿入されたディスクの記録面高さのフォーカス駆動値を算出する。ディスクの記録面位置のフォーカス駆動値をＦＯＤ＿ｔｍｐとすれば、この値は、ＦＯＤ＿ｍａｘとＦＯＤ＿ｍｉｎのほぼ中点であるので、下記数式４で算出できる（ステップ１０）。
【００３１】
ＦＯＤ＿ｔｍｐ＝（ＦＯＤ＿ｍａｘ＋ＦＯＤ＿ｍｉｎ）／２・・・（数式４）
図４にその模式図を示す。
【００３２】
次に、図４に示すように、上記数式４で算出された、挿入されたディスクの記録面高さ（ＦＯＤ＿ｔｍｐ）と不揮発性メモリ８から読み出して算出した閾値（ＦＯＤ＿ＬＶＬ）とを比べる。ＦＯＤ＿ＬＶＬよりＦＯＤ＿ｔｍｐが小さければ「ＤＶＤ」、大きければ「ＣＤ」であると予測できる（ステップＳ１１、Ｓ１２、Ｓ１４）。
【００３３】
次に、予測されたメディアに応じて立ち上げ処理（ディスク回転開始、サーボ学習、管理情報読み込み）を行う（ステップＳ１３，Ｓ１５）。立ち上げ成功後、このメディアの記録面高さ（ＦＯＤ＿ｔｍｐ）を該当するメディアの不揮発性メモリ８に書き込む（ステップＳ１６、Ｓ１８、Ｓ１９、Ｓ２０、Ｓ２１）。
【００３４】
図３のフローでは、そのまま不揮発性メモリ８に代入しているが、万一取得したデータが異常だった場合にそなえて、前回の記録位置との変化量を抑える方法もある。例えば、下記数式に基づき、
ＦＯＤ＿ＤＶＤ＝（ＦＯＤ＿ＤＶＤ＋ＦＯＤ＿ｔｍｐ）／２
ＦＯＤ＿ＣＤ＝（ＦＯＤ＿ＣＤ＋ＦＯＤ＿ｔｍｐ）／２
前回と今回の変化量差の間を次回のデータとする。
【００３５】
このように立ち上げ成功した時のメディアの記録高さを次回の判別に使用するということは、同一メカ、ピックアップで計測した値を判別閾値としているの等価であるので、ターンテーブル高さやピックアップの感度ばらつきに左右されることなく、正確に判別できることになる。
【００３６】
また、ＦＥ信号の最大値、最小値を採用しているので、表面反射の影響も逃れることができ、判別精度が向上する。
【００３７】
よって、記録面高さを判別する方式でも、メカの精度を上げなくてもよく、またピックアップの感度ばらつきも抑えなくてよいので、製造コストを下げることができるというメリットがある。
【産業上の利用可能性】
【００３８】
不揮発性メモリを持つＤＶＤ／ＣＤ再生装置や記録装置において、ディスクサーチ時（レンズ上下移動中）の最大値／最小値が記録できるシステムでは、ソフトウェアのみで構成でき、メカニズムのコストアップなしにＤＶＤとＣＤの判別が精度良く行うことができる。この技術は、将来記録面位置の高さが違うメディアが出てきた時も同様の構成で判別できる。また本発明ではＤＶＤとＣＤの判別を行う構成としたが、メディアとしてはこれらに限定されるものではなく、他の光ディスクであっても構わない。
【図面の簡単な説明】
【００３９】
【図１】本発明の実施の形態の光ディスク再生装置のブロック図
【図２】同実施の形態におけるピックアップとサーボ回路のブロック図
【図３】同実施の形態のフローチャート
【図４】同実施の形態におけるフォーカス駆動値算出の説明をするための模式図
【図５】同実施の形態における表面反射と記録面反射の説明をするための模式図
【図６】同実施の形態におけるディスクサーチの説明をするための模式図
【符号の説明】
【００４０】
１    光ディスク
２    ターンテーブル
３    ピックアップ
４    トラバース
５    スピンドルモータ
６    サーボ回路
７    マイコン
８    不揮発性メモリ
９    メモリ
３１    レンズ
３２    トラッキングコイル
３３    フォーカスコイル
３４    受光部
３５    レーザー
５０    トラバース制御手段
５１    フォーカスコイル制御手段
５２    トラッキングコイル制御手段
５３    サーボ制御回路
５４    復調回路
５５    ＦＥ／ＴＥ／ＲＦ信号生成手段
【図１】
2005071431.tif 000003
【図２】
2005071431.tif 000004
【図３】
2005071431.tif 000005
【図４】
2005071431.tif 000006
【図５】
2005071431.tif 000007
【図６】
2005071431.tif 000008